(57)【特許請求の範囲】
【請求項１】
ロール状に巻かれた感光材料をロール軸芯周りに回転自在に支持する感光材料支持部をマガジン本体に設け、ロール状態の感光材料又は繰り出された状態の感光材料をその幅方向外方側から受け止め可能な位置決め作用体を、位置変更機構を介して前記感光材料の幅方向に対応する方向に位置変更調節可能に前記マガジン本体側の位置決め作用体支持部に設け、前記位置変更機構は、前記位置決め作用体支持部と位置決め作用体とのいずれか一方側に、前記感光材料の長手方向に対応する方向に沿う所定数の溝部を形成するとともに、他方側に、いずれかの溝部を選択してその溝部の内壁に当接する係止凸部を設けて構成してある写真処理機における感光材料収容マガジンであって、
前記位置変更機構における所定の溝部の両内壁のうち少なくとも一方側の内壁を凹凸状に形成し、前記係止凸部側に、前記溝部の内壁側の凸部を受け入れる凸部受け入れ空間を形成して、前記係止凸部を前記溝部の内壁の凸面に当接させた位置決め状態と、この位置決め状態から前記係止凸部を前記感光材料の長手方向に対応する方向に位置ずれさせて、前記溝部の内壁側の凸部を前記凸部受け入れ空間に受け入れさせた位置決め状態とに切り換え可能に構成してある写真処理機における感光材料収容マガジン。
【請求項２】
前記所定の溝部の内壁の凹凸部の側面を階段状に形成し、前記両位置決め状態から前記係止凸部を前記感光材料の長手方向に対応する方向に位置ずれさせて、前記係止凸部を前記凹凸部の側面の中間段部に当接させた位置決め状態に切り換え可能に構成してある請求項１記載の写真処理機における感光材料収容マガジン。
【請求項３】
前記位置決め作用体に挿通されたボルトを前記位置決め作用体支持部に設けられた雌ねじ部に螺合することにより、前記位置決め作用体を前記各位置決め状態でそれぞれ固定可能に構成してある請求項１又は２記載の写真処理機における感光材料収容マガジン。
【発明の詳細な説明】
【０００１】
【発明の属する技術分野】
本発明は、ロール状に巻かれた感光材料をロール軸芯周りに回転自在に支持する感光材料支持部をマガジン本体に設け、ロール状態の感光材料又は繰り出された状態の感光材料をその幅方向外方側から受け止め可能な位置決め作用体を、位置変更機構を介して前記感光材料の幅方向に対応する方向に位置変更調節可能に前記マガジン本体側の位置決め作用体支持部に設け、前記位置変更機構は、前記位置決め作用体支持部と位置決め作用体とのいずれか一方側に、前記感光材料の長手方向に対応する方向に沿う所定数の溝部を形成するとともに、他方側に、いずれかの溝部を選択してその溝部の内壁に当接する係止凸部を設けて構成してある写真処理機における感光材料収容マガジンに関する。
【０００２】
【従来の技術】
この種の写真処理機における感光材料収容マガジンでは、位置決め作用体を前記位置変更機構を介して感光材料の幅方向に対応する方向に位置変更調節することで、幅が異なる複数の感光材料の位置決めに対応している。
【０００３】
従来、前記位置変更機構は、例えば図１０（イ），図１０（ロ）に示すように、位置決め作用体支持部としてのガイドベース１５の左側半分と右側半分とに、感光材料の長手方向に対応する方向に沿う複数の溝部２６Ａ，２６Ｂ、２６Ｃから成る溝群をそれぞれ形成し、位置決め作用体としての左右一対の幅規制ガイド１３に、いずれかの溝部２６Ａ，２６Ｂ、２６Ｃを選択してその溝部２６Ａ，２６Ｂ，２６Ｃの内壁に当接する係止凸部２７をそれぞれ設けて構成してあり、幅規制ガイド１３を次のように位置変更調節していた。
【０００４】
［幅ａの感光材料を幅規制ガイド１３で位置決めする場合］
図１０（イ）に示すように、前記幅規制ガイド１３の係止凸部２７の一方側の面ｆ１（両面のうち感光材料に近い側の面）を、外側の第１の溝部２６Ａの一方の内壁Ｆ１（両内壁のうち感光材料に近い側の内壁）に当接させ、一対の幅規制ガイド１３の感光材料受け止め面間の距離を、前記ａに対応したＡに設定する。
【０００５】
［幅ｂの感光材料を幅規制ガイド１３で位置決めする場合］
図１０（ロ）に示すように、幅規制ガイド１３の係止凸部２７の他方側の面ｆ２を、第１溝部２６Ａの隣の第２溝部２６Ｂの一方の内壁Ｆ１（両内壁のうち感光材料から遠い側の内壁）に当接させ、一対の幅規制ガイド１３の感光材料受け止め面間の距離を、前記ｂに対応したＢに設定する。
【０００６】
【発明が解決しようとする課題】
前記複数の感光材料の中にはその幅同士の差が小さい一対の感光材料が一組又は複数組あるのが普通で、両感光材料同士の間ではその差が３ｍｍ程度しかないこともあり、この場合、前述の二つの位置決め状態における前記距離ＡとＢとの差Ａ−Ｂも３ｍｍ程度になる。
【０００７】
ところで、上記従来の構成で第１溝部２６Ａと第２溝部２６Ｂとの間の凸部３１の幅をＫ、係止凸部２７の幅をＬとするとＡ−Ｂ＝２（Ｋ＋Ｌ）になり、上記のようにＡ−Ｂが３ｍｍであると、ＫとＬとのいずれか一方の寸法が１ｍｍ以下になるが、この種の係止構造で前記係止凸部２７の幅Ｌか、あるいは両溝部２６間の凸部３１の幅Ｋが１ｍｍ以下になると、係止凸部２７又は凸部３１の強度が弱くなるという問題がある。
【０００８】
そこで、幅同士の差が小さい一対の感光材料の位置決めに対応するのに、従来では複数組のガイドベース１５を準備し、一方の感光材料に対応する場合と他方の感光材料に対応する場合とで、異なるガイドベース１５を用いるという手段を採用していた。
【０００９】
そのために、従来の構成ではガイドベース１５の数が増えて製作コストが高くなるだけでなく、それらの交換作業に手間がかかるという問題があった。
【００１０】
本発明は上記実情に鑑みてなされたもので、その目的は製作コストを低廉化するとともに、作業者の労力を軽減化する点にある。
【００１１】
【課題を解決するための手段】
請求項１による発明の構成・作用・効果は次の通りである。
【００１２】
［構成］
冒頭に記載した写真処理機における感光材料収容マガジンにおいて、  前記位置変更機構における所定の溝部の両内壁のうち少なくとも一方側の内壁を凹凸状に形成し、前記係止凸部側に、前記溝部の内壁側の凸部を受け入れる凸部受け入れ空間を形成して、前記係止凸部を前記溝部の内壁の凸面に当接させた位置決め状態と、この位置決め状態から前記係止凸部を前記感光材料の長手方向に対応する方向に位置ずれさせて、前記溝部の内壁側の凸部を前記凸部受け入れ空間に受け入れさせた位置決め状態とに切り換え可能に構成してある。
【００１３】
［作用］
上記の構成によれば、位置決め作用体支持部に対して設けた例えば一対の位置決め作用体を、次のようにして位置変更調節することができる。
【００１４】
［幅ａの感光材料を位置決め作用体で位置決めする場合］
例えば図６，図７（ロ）に示すように、前記位置決め作用体１３側（又は位置決め作用体支持部側）の係止凸部２７を位置決め作用体支持部１５側（又は位置決め作用体側）のいずれかの溝部２６の内壁の凸面に当接させて位置決め作用体１３を位置決めし、この位置決め状態で位置決め作用体１３により幅ａの感光材料をその幅方向で位置決めする。
【００１５】
［幅ｂの感光材料を位置決め作用体で位置決めする場合］
例えば図６，図７（イ）に示すように、前記位置決め作用体１３側（又は位置決め作用体支持部側）の係止凸部２７を、前記位置決め状態から感光材料の長手方向に対応する方向に位置ずれさせて、前記溝部２６の内壁側の凸部３１を凸部受け入れ空間２８に受け入れさせて位置決めし、この位置決め状態で位置決め作用体１３により幅ｂの感光材料をその幅方向で位置決めする。
【００１６】
上記の場合、前記溝部２６の内壁側の凸部３１の高さ寸法を小さく設定しても、溝部２６の強度が低下する等の不具合がないことから、前記高さ寸法を小さく設定することで、前記幅ａとｂとの差が小さい場合の位置変更調節にも対応することができる。
【００１７】
その結果、従来のように位置決め作用体支持部１５を複数組準備する必要がなくなる。
【００１８】
［効果］
従って、位置決め作用体支持部の数を従来よりも減らすことができて、製作コストを低廉化することができ、また、位置決め作用体支持部を従来のように別の位置決め作用体支持部に交換する作業が不要になって、作業者の労力を軽減化できた。
【００１９】
請求項２による発明の構成・作用・効果は次の通りである。
【００２０】
［構成］
請求項１による発明の構成において、前記所定の溝部の内壁の凹凸部の側面を階段状に形成し、前記両位置決め状態から前記係止凸部を前記感光材料の長手方向に対応する方向に位置ずれさせて、前記係止凸部を前記凹凸部の側面の中間段部に当接させた位置決め状態に切り換え可能に構成してある。
【００２１】
［作用］
請求項１の構成による作用と同様の作用を奏することができるのに加え、次の作用を奏することができる。
【００２２】
つまり、前記幅ａと幅ｂとの中間の長さの幅ｃの感光材料を位置決め作用体で位置決めする場合、前記位置決め作用体側又は位置決め作用体支持部１５側の係止凸部を、前記両位置決め状態から感光材料の長手方向に対応する方向に位置ずれさせて、前記係止凸部を位置決め作用体支持部側又は位置決め作用体側の溝部の内壁の中間段部に当接させて位置決め作用体を位置決めし、この位置決め状態で位置決め作用体により幅ｃの感光材料をその幅方向で位置決めする。
【００２３】
この場合、前記溝部の内壁側の凸部の凸面から中間段部までの高さ寸法を小さく設定しても、溝部の強度が低下する等の不具合がないことから、前記高さ寸法を小さく設定することで、前記幅ａとｃとの差、又はｂとｃとの差が小さい場合の位置変更調節にも対応することができる。
【００２４】
［効果］
従って、請求項１の構成による効果と同様の効果をより得やすくなった。
【００２５】
【発明の実施の形態】
以下、本発明の実施の形態を図面に基づいて説明する。
【００２６】
図１に写真処理装置１を示してある。この写真処理装置１は、マガジン台３を機体フレーム４に設け、パイプ状の芯材１７（図２参照）にロール状に巻かれた印画紙２（感光材料に相当）を印画紙支持部１２（感光材料支持部に相当）でロール軸芯Ｏ周りに回転自在に支持する第１マガジン５と第２マガジン６（共に感光材料収容マガジンに相当）とをマガジン台３上に横方向に並設するとともに、印画紙２を搬送する搬送装置８を設け、印画紙２を第１マガジン５から繰り出す状態と、第２マガジン６から繰り出す状態とに切り換え自在に構成し、第１マガジン５と第２マガジン６からの印画紙２を切断するカッター２３を設け、切断された印画紙２を焼付処理する画像形成部７を第１マガジン５の下方側に配設して構成してある。
【００２７】
前記画像形成部７は、印画紙２を一定速度で搬送させながらデジタル画像を１ラインごとに順次露光形成していくもので、ＤＭＤ（デジタル・ミラー・デバイス）やレーザー露光装置やＣＲＴ露光装置などがある。
【００２８】
次に、前記第１マガジン５について説明する（第２マガジン６は第１マガジン５と同一構造であるのでその説明は省略する）。
【００２９】
図２，図３に示すように、前記第１マガジン５はマガジン本体３６を上ケース２０と下ケース１９とに分割するとともに、上ケース２０と下ケース１９とを印画紙排出口１１側の横軸芯Ｐ周りに回転自在に連結した二つ割り構造に構成してある。
【００３０】
そして前記印画紙支持部１２は、前記芯材１７に挿通させる巻芯１８を設け、その巻芯１８に対する軸受け部を上ケース２０と下ケース１９とにわたって設けて構成してある。
【００３１】
前記印画紙排出口１１側に第１駆動ローラ９と第１圧着ローラ１０とから成る第１ローラ機構２４を設け、第２駆動ローラ３２をロール状の印画紙２の外周に当てつけた状態で駆動回転させる第２ローラ機構３３を、ロール状の印画紙２の縮径に伴ってその径方向内方側に追従移動可能に設けて、第１及び第２ローラ機構２４，３３の正逆の回転で印画紙２を繰り出し・巻き戻すよう構成してある。
【００３２】
前記第２駆動ローラ３２は、ベルト伝動機構３５を介して第１ローラ機構２４と共通の駆動部により駆動回転する。また、第２駆動ローラ３２はばね（図示せず）によりロール状の印画紙２の外周部に圧接させてある。
【００３３】
図４，図５，図６に示すように、繰り出された状態の印画紙２をその幅方向外方側から受け止め可能な左右一対の幅規制ガイド１３（位置決め作用体に相当）を、位置変更機構１４を介して印画紙２の幅方向に対応する方向に位置変更調節可能に下ケース１９側のガイドベース１５（位置決め作用体支持部に相当）に設けて、幅の異なった複数の印画紙２ごとに、前記幅規制ガイド１３の位置を変更調節することで、前記複数の印画紙２をその幅方向で位置決め可能に構成してある。
【００３４】
前記幅規制ガイド１３は、印画紙２の長手方向に沿う板状の印画紙受け止め部１６を、ガイドベース１５に対する板状の取り付け部２１から立ち上げて形成してある。
【００３５】
前記位置変更機構１４は、ガイドベース１５の左半分側と右半分側とに、印画紙２の長手方向に対応する方向に沿う複数の溝部２６から成る溝群をそれぞれ形成するとともに、印画紙２の幅方向に対応する方向（つまりガイドベース１５の長手方向）に並ぶ複数の雌ねじ部２５から成る雌ねじ群をそれぞれ形成し、幅規制ガイド１３の印画紙受け止め部１６の低面側に、いずれかの溝部２６を選択してその溝部２６の内壁に当接する係止凸部２７を、印画紙２の長手方向に対応する方向に沿う状態に突設し、幅規制ガイド１３の取り付け部２１に、いずれかの雌ねじ部２５を選択して、その雌ねじ部２５に対するボルト３８を挿通させる第１ボルト挿通長孔２２Ａと第２ボルト挿通長孔２２Ｂとを、印画紙２の幅方向に対応する方向に長く形成して構成してある。
【００３６】
つまり、幅規制ガイド１３の係止凸部２７を前記複数の溝部２６のうちいずれかの溝部２６の内壁に当接させ、第１又は第２ボルト挿通長孔２２Ａ，２２Ｂに挿通させたボルト３８を、対応する雌ねじ部２５に螺合することで幅規制ガイド１３を位置決め固定し、その状態で幅規制ガイド１３により印画紙２をその幅方向で位置決めする。
【００３７】
ところで、前記複数の印画紙２の中にはその幅の差が小さい一対の印画紙２が一組又は複数組あるのが普通で、両印画紙２の間ではその差が３ｍｍ程度しかないこともあり、この場合、幅規制ガイド１３の細かな位置変更調節が必要になる。そこで、前記位置変更機構１４を上記の構造に加えて、さらに次のように構成してある。
【００３８】
図５に示すように、前記複数の溝部２６のうち第１圧着ローラ１０に近い側に位置する左右一対のやや広幅の溝部２６の両内壁を凹凸状に形成し（図５では右側の溝部２６は省略してある）、図６（イ），（ロ），（ハ），（ニ）に示すように、前記幅規制ガイド１３の係止凸部２７側に、前記溝部２６の内壁側の凸部３１を受け入れる凸部受け入れ空間２８を形成して、係止凸部２７を前記溝部２６の一方の内壁の凸面に当接させた第１の位置決め状態（図７（ロ））と、この第１の位置決め状態から前記係止凸部２７を印画紙２の長手方向に対応する方向に位置ずれさせて、前記溝部２６の内壁側の凸部３１を前記凸部受け入れ空間２８に受け入れさせた第２の位置決め状態（図７（イ））とに切り換え可能に構成してある。
【００３９】
前記凸部受け入れ空間２８は係止凸部２７を長手方向複数箇所で分断して形成してあり、前記第２の位置決め状態では、係止凸部２７が前記溝部２６の凹面に当接する。
【００４０】
そして、第２の位置決め状態に対応する雌ねじ部２５の位置を、第１の位置決め状態に対応する雌ねじ部２５に対して、印画紙２の長手方向に対応する方向で少し位置ずれした状態に設定して、前記第２の位置決め状態で第１ボルト挿通長孔２２Ａ・前記位置ずれした雌ねじ部２５・ボルト３８を介して幅規制ガイド１３をガイドベース１５に固定し、また、第１の位置決め状態で第２ボルト挿通長孔２２Ｂ・位置ずれしていない雌ねじ部２５・ボルト３８を介して幅規制ガイド１３をガイドベース１５に固定するよう構成してある。
【００４１】
前記第１の位置決め状態では幅が１１７ｍｍの印画紙２を幅規制ガイド１３で位置決めし、第２の位置決め状態では幅が１１４ｍｍの印画紙２を幅規制ガイド１３で位置決めする。
【００４２】
また、前記係止凸部２７を前記溝部２６の他方の内壁の凸面に当接させた第３の位置決め状態（図８（イ））と、この第３の位置決め状態から前記係止凸部２７を印画紙２の長手方向に対応する方向に位置ずれさせて、前記溝部２６の内壁側の凸部３１を凸部受け入れ空間２８に受け入れさせた第４の位置決め状態（図８（ロ））とに切り換え可能に構成し、第３の位置決め状態で第２ボルト挿通長孔２２Ｂ・前記位置ずれしていない雌ねじ部２５・ボルト３８を介して幅規制ガイド１３をガイドベース１５に固定し、第４の位置決め状態で第１ボルト挿通長孔２２Ａ・位置ずれしている雌ねじ部２５・ボルト３８を介して幅規制ガイド１３をガイドベース１５に固定するよう構成してある。
【００４３】
前記第４の位置決め状態では、係止凸部２７が前記溝部２６の凹面に当接する。
【００４４】
前記第３の位置決め状態では幅が１２０ｍｍの印画紙２を位置決めし、第４の位置決め状態では幅が１２１ｍｍの印画紙２を位置決めする。
【００４５】
［別実施形態］
前記所定の溝部２６の少なくとも一方側の内壁の凹凸部の側面を階段状に形成し（図９参照）、前記第１又は第２の位置決め状態から前記係止凸部２７を印画紙２の長手方向に対応する方向に位置ずれさせて、前記係止凸部２７を前記凹凸部の側面の中間段部３７に当接させた第５の位置決め状態に切り換え可能に構成してあってもよい（なお、図９は前述の第２の位置決め状態を示している）。
【００４６】
この構造によれば、幅規制ガイド１３をさらに細かく位置変更調節することができる。
【００４７】
上記実施形態では前記係止凸部２７を長手方向複数箇所で分断して前記凸部受け入れ空間２８を形成したが、係止凸部２７をこのように分断することなく、前記複数カ所に前記凸部受け入れ空間としての複数の凹部を形成して（つまり、係止凸部２７は一連になっている）、前記溝部２６の内壁側の凸部３１を凹部に受け入れさせた第２又は第４の位置決め状態（図８（ロ））で、前記凹部の凹面に前記溝部２６の内壁側の凸部３１の凸面を当接させるよう構成してあってもよい。
【００４８】
前記ガイドベース１５側に係止凸部２７を設け、幅規制ガイド１３側に溝部２６を設けてあってもよい。
【００４９】
前記溝部２６を一つの幅規制ガイド１３に対して一つだけ設けてあってもよい。
【００５０】
前記ガイドベース１５の左半分側の複数の溝部２６、及び右半分側の複数の溝部２６の内壁を上記のように凹凸状に形成してあってもよい。
【００５１】
前記溝部２６の両内壁のうち一方の内壁側だけを凹凸状に形成してあってもよい。
【００５２】
上記の実施形態では繰り出された状態の印画紙２をその幅方向で位置決めする構造について説明したが、本発明は、ロール状の印画紙２をその幅方向外方側から受け止め可能な位置決め作用体を、位置変更機構を介して印画紙２の幅方向に対応する方向に位置変更調節可能にマガジン本体３６に設けてある構造にも適用することができる。
【００５３】
前記感光材料は印画紙以外のものであってもよい。
【図面の簡単な説明】
【図１】写真処理装置の縦断側面図
【図２】マガジンの縦断面図
【図３】開放状態のマガジンの縦断面図
【図４】幅規制ガイド及びガイドベースの構造を示す平面図
【図５】ガイドベースの平面図
【図６】幅規制ガイドを示す図
【図７】幅規制ガイドの位置変更調節を示す図
【図８】幅規制ガイドの位置変更調節を示す図
【図９】別実施形態を示す図
【図１０】従来の技術を示す図
【符号の説明】
２            感光材料
１２            感光材料支持部
１３            位置決め作用体
１４            位置変更機構
１５            位置決め作用体支持部
２６            溝部
２７            係止凸部
２８            凸部受入れ空間
３１            凸部
３６            マガジン本体
３７            中間段部
Ｏ            ロ−ル軸芯
【図１】
0003722348.tif 000002
【図２】
0003722348.tif 000003
【図３】
0003722348.tif 000004
【図４】
0003722348.tif 000005
【図５】
0003722348.tif 000006
【図６】
0003722348.tif 000007
【図７】
0003722348.tif 000008
【図８】
0003722348.tif 000009
【図９】
0003722348.tif 000010
【図１０】
0003722348.tif 000011